(57)【要約】中実で弾力性のある柔軟な本体を有するボール玩具が開示されている。本体はボアによって貫通され、そこに軸受手段が取り付けられ、その中に本体の回転軸を画定する。ボアは各々の端部にボア閉鎖部を有し、機械的接続手段は各々の閉鎖部を軸受手段に接続する。本体は、閉鎖部が使用者によってつまんで保持されたときに、閉鎖部に対して前記軸上で回転することができる。本体は、選択された硬度特性の熱可塑性ゴムでできており、本体の回転に起因する跳ね返り方向を予測できないため、優れた跳ね返り性能を発揮する。【選択図】図１
2020536684.tif 000002
【特許請求の範囲】
【請求項１】
穴ボアの貫通した中実で弾力性のある柔軟な本体と、
前記本体の回転軸が内部に画定されるようにボア内に取り付けられた軸受手段と、
ボアの各々の端部のボア閉鎖部と、
各々の閉鎖部を前記軸受手段に接続し、これにより、前記閉鎖部が使用者によってつまんで保持されたときに、前記本体が前記閉鎖部に対して前記軸上で回転することができる機械的接続手段と
を有するボール玩具。
【請求項２】
前記軸受手段は単一の転動要素軸受を備える、請求項１に記載のボール。
【請求項３】
前記軸受は、前記本体にしっかりと挿入された外側リングと、前記機械的接続手段に固定された内側リングとを有する、請求項２に記載のボール。
【請求項４】
前記機械的接続手段は、前記内側リング内に取り付けられ、前記内部リングと共回転可能であるシャフトを備える、請求項３に記載のボール。
【請求項５】
前記閉鎖手段は、前記シャフトのそれぞれの自由端に接続されている、請求項４記載のボール。
【請求項６】
前記シャフトは、自由なままであり、前記ボールの跳ね返り動作による変形中に前記本体とは無関係に回転できるように適合されている、請求項４または請求項５に記載のボール。
【請求項７】
前記シャフトは、前記本体が跳ね返り衝撃を受けるときに、前記ボアに同調して比較的小さい範囲まで弾性的に変形可能である、請求項６に記載のボール。
【請求項８】
前記シャフトは、前記本体の剛性よりも高い剛性を有する、請求項７記載のボール。
【請求項９】
熱可塑性化合物で作られた、請求項８に記載のボール。
【請求項１０】
前記化合物は、ショアＤデュロメータースケールで７５〜８３の範囲の硬度を有する、請求項９に記載のボール。
【請求項１１】
前記シャフトは、１００００ｐｓｉ〜１２０００ｐｓｉの範囲の引張強度を有する材料から製造される、請求項９または１０に記載のボール。
【請求項１２】
前記化合物は、ポリオキシメチレン（「ＰＯＭ」）から配合される、請求項１１に記載のボール。
【請求項１３】
前記本体は、熱可塑性ゴムを備えることにより、向上した跳ね返り能力を示すように適合されている、請求項１〜１２のいずれか一項に記載のボール。
【請求項１４】
前記ゴムは、ショアＡ硬度スケールに従って３４〜５０の範囲の硬度値を有する、請求項１３に記載のボール。
【請求項１５】
前記硬度値は、ショアＡ硬度スケールに従って３８〜４７の範囲にある、請求項１４に記載のボール。
【請求項１６】
前記ボアの各々の端部の前記ボア閉鎖部は、好ましくは熱可塑性ゴム（ＴＰＲ）で作られたキャップを備える、請求項１〜１５のいずれか一項に記載のボール。
【請求項１７】
前記キャップは、前記本体の硬度値を超える硬度値を有する、請求項１６記載のボール。
【請求項１８】
前記キャップは、ショアＡ硬度スケールに従って４０〜６０の範囲の硬度値を有する、請求項１６に記載のボール。
【請求項１９】
複数の不連続部を備える外面を有する、請求項１〜１８のいずれか一項に記載のボール。
【請求項２０】
前記不連続部はファセットを画定する、請求項１９に記載のボール。
【請求項２１】
ほぼ球形のプロポーションである、請求項１〜２０のいずれか一項に記載のボール。
【請求項２２】
前記軸受手段は、前記シャフトに接続され、互いに離間関係で前記シャフトに沿って配置された第１および第２のころ軸受を備える、請求項１〜２１のいずれか一項に記載のボール。
【請求項２３】
前記ボアは、その長さの少なくとも主要部分に沿ってライニングを有する、請求項１〜２２のいずれか一項に記載のボール。
【請求項２４】
前記ライニングは、前記本体の硬度から前記キャップの硬度までの範囲のショア硬度を有する、請求項２３記載のボール。
【発明の詳細な説明】
【技術分野】
【０００１】
本発明は、跳ね返るおよび回転するように適合されたボール玩具に関する。より具体的には、本発明は、ボールが跳ねたときに方向を変化させるように周囲にボールを回転させることができる軸受部品を有する、跳ね返り可能なボールに関する。ボールは、転がす、投げる、またはバットまたは同様の道具で打ったりすることができる。
【背景技術】
【０００２】
新しいノベルティ玩具およびゲームの需要は継続的であり、ボール玩具は広範囲の人口構成にわたって人気がある。当技術分野で知られているボールの設計は幅広く多様であり、異なるサイズ、形状、および製造材料が、跳ねたまたは投げられたときのボールの挙動に影響を与える。
【０００３】
いくつかの例では、飛行中のボールの軌道に影響を与えるために、追加機能がボール玩具内に含まれ得る。当該技術分野で知られているそのような装置には、電気モーターがボールのコアの内部に保持されている特許文献１、またはプーリーとスプリングの組み合わせを使用して、様々な方向にボールの動きを作動させる特許文献２に記載されるモーター駆動のボール玩具が含まれる。これらのような装置はある程度効果的であるが、可動部品の数が多いため、装置が破損しやすく、ならびに製造が経済的ではない。
【０００４】
特許文献３は、低摩擦カラーによって両端が所定の位置に保持されているシャフトに運動エネルギー貯蔵フライホイールが堅固に取り付けられたシェルを画定する中空ボールの形態の自己駆動玩具を記載している。ボールは、シェル内の装入口に回転シャフトを挿入し、それをかさ歯車の形の摩擦装置に押し付けて操作される。これにより、フライホイールが回転し、運動エネルギーが蓄積される。低摩擦カラーは軸受を構成し、それらの間でシャフトの回転軸を画定する。
【０００５】
特許文献４に開示されている種類の先行技術の回転するボール玩具の欠点は、それらが不十分な跳ね特性を有することである。ボールの内部が機械部品を収容するためにくり抜かれると、本体の柔軟性と弾力性が損なわれることが分かっている。ボール玩具を使用しているときに損傷する可能性のある可動部品の量を最小限に抑えながら、投げられるかまたは跳ねたときに軌道、速度、および方向を変更できるボール玩具があると有利である。
【先行技術文献】
【特許文献】
【０００６】
【特許文献１】米国特許第３，７９８，８３５号明細書
【特許文献２】米国特許第２，５６３，０１９号明細書
【特許文献３】国際特許公開第２０１１／０８３３１３号パンフレット
【特許文献４】国際特許公開第２０１１／０８３３１３号パンフレット
【発明の概要】
【発明が解決しようとする課題】
【０００７】
本発明の目的は、先行技術の欠点に対処し、そうすることで、少なくとも単一の軸上で回転するように適合された跳ね返るボール玩具を提供することである。
【０００８】
本発明の背景に関する前述の議論は、本発明の理解を促進することを意図している。しかしながら、議論は、言及された資料のいずれかが本出願の優先日におけるオーストラリアまたは他の場所での共通の一般的な知識の一部であったことの確認または承認ではないことを理解すべきである。
【０００９】
さらに、文脈上明白に他を意味に解釈すべき場合を除いて、本明細書および特許請求の範囲全体を通して、「備える（ｃｏｍｐｒｉｓｅ）」、「備える（ｃｏｍｐｒｉｓｉｎｇ）」などの単語は、「これだけを含み、他のものを含まない」という意味の排他的または網羅的な意味とは対照的に、「含むが、これらに限定されない」という包括的な意味で解釈されるべきである。
【課題を解決するための手段】
【００１０】
本発明の第１の態様によれば、ボアが貫通する中実で弾力性のある柔軟な本体と、本体の回転軸が内部に画定されるようにボア内に取り付けられた軸受手段と、ボアの各々の端部のボア閉鎖部と、各々の閉鎖部を軸受手段に接続し、これにより、閉鎖部が使用者によってつまんで保持されたときに、本体が閉鎖部に対して軸上で回転することができる機械的接続手段とを有するボール玩具が提供される。
【００１１】
本発明の好ましい形態では、軸受手段は、単一の転動要素軸受を備える。軸受は、本体にしっかりと挿入された外側リングと、機械的接続手段に固定された相対的に回転する内側リングを有する。
【００１２】
好ましくは、機械的接続手段は、内側リング内に取り付けられ、内側リングと共回転可能であるシャフトを備える。
【００１３】
閉鎖手段は、好ましくは、シャフトのそれぞれの自由端に接続される。
【００１４】
シャフトは、好ましくは、本体の剛性よりも高い剛性を有する。それは望ましくは熱可塑性化合物から作られる。さらに好ましくは、化合物は、ショアＤデュロメータースケールで７５〜８３の範囲の硬度を有する。シャフトは、好ましくは１００００ｐｓｉ〜１２０００ｐｓｉの範囲の引張強度を有する材料から製造される。好ましい材料の例は、アセタールとしても知られるポリオキシメチレン（「ＰＯＭ」）である。
【００１５】
シャフトは、好ましくは、本体が跳ね返り衝撃を受けるときに、ボアに同調して比較的小さい範囲まで弾性的に変形可能である。その結果、シャフトは自由なままであるように適合され、ボールの跳ね返り作用による変形中でさえ、本体とは無関係に回転することができる。
【００１６】
ボールは、概して球形であるか、または形状が楕円形または卵形である傾向がある、概してより平坦なプロポーションであってもよい。それは、例えばパネルまたはファセットを備える、連続的または不連続的な外面を有してもよい。例えば、それは測地線の多面体形であってもよい。
【００１７】
本発明の好ましい形態では、本体は、向上した跳ね返り能力を示すように適合されている。１ｍの高さから滑らかなセメントの表面に落下した球体が少なくとも５３０ｍｍの高さまで跳ね返るときに、跳ね返り能力が向上したと見なされる。本発明のボールは、少なくとも７２０ｍｍの高さに跳ね返るように適合されていることが好ましい。
【００１８】
好ましくは、本体は、熱可塑性ゴムを備えることによって適合される。好ましくは、熱可塑性ゴムは、ショアデュロメータータイプＡ硬度スケールに従って、３４〜５０の範囲の硬度値を有する。さらに好ましくは、硬度値は、３８〜４７の範囲である。理想的には、硬度数は、ショアＡデュロメータースケールで４０である。
【００１９】
熱可塑性ゴムは、ＳＥＢＳ（スチレンエチレンブチレンスチレン）、ＳＢＳ（スチレンブタジエンスチレン）、ポリプロピレン（ＰＰ）および、ポリウレタン、天然ラテックス、およびポリエチレンを含む発泡ゴムのうちの１つ以上から選択される化合物を少量含むことにより、所望の硬度または弾性に適合させることができる。
【００２０】
本発明のさらに好ましい形態では、ボアの各々の端部のボア閉鎖部は、熱可塑性エラストマー（ＴＰＥ）を備えたキャップを備える。
【００２１】
本発明のさらに好ましい形態では、キャップは、本体の硬度値を超える硬度値を有する。好ましくは、キャップは、ショアＡスケールで４０〜６０の範囲、より好ましくは４５〜５５の範囲の硬度値を有することができる。特に好ましい一実施形態では、キャップは、ショアＡスケールで５０度の硬度のものである。
【００２２】
一実施形態では、ボアは、その長さの少なくとも主要部分に沿ってライニングを有する。好ましくは、ライニングは、本体の硬度からキャップの硬度までの範囲のショア硬度を有する。さらに好ましくは、ライニングはキャップの硬度に等しい。ライニングはポリマーを備えることができる。例として、ライニングはポリ塩化ビニルを備える。
【００２３】
さらなる実施形態では、軸受手段は、シャフトに接続され、互いに離間関係でシャフトに沿って配置された第１および第２のころ軸受を備える。
【図面の簡単な説明】
【００２４】
本発明が容易に理解され、実際的な効果をもたらすことができるようにするために、ここで添付の図面を参照する。したがって：
【００２５】
【図１】本発明の好ましい一実施形態の跳ね返るボールの回転軸に直交する（ａ）斜視図および（ｂ）半径方向側面図である。
【図２】図１のボールの軸方向断面である。
【図３】図２の回転シャフトの斜視図である。
【図４】図２の回転シャフトの側面図である。
【図５】図１および図２に示されるように、図３および図４のシャフトに適合するエンドキャップの斜視図である。
【図６】図５のキャップの軸方向断面図である。
【図７】代替の一実施形態である本発明の描写である。
【図８】ゲームにおける本発明のボールの使用形態を示す。
【発明を実施するための形態】
【００２６】
本発明のボールは、ゲームをするためのボール、および回転する「フィジェット」装置の両方として使用できる玩具を提供し、ストレスを緩和するのに、または単に使用者の手を忙しく保つのに役立つ。
【００２７】
ボールは、様々なサイズ、色、および形状で形成することができ、本明細書で説明される概念は、広範囲のボールのタイプ、形状、サイズ、および材料に適合させることができる。ボールは、典型的には、フィジェット装置としてボールを効果的に使用し、跳ねたり投げたりするために、手のひらで容易に保持できるサイズに製造されることが想定される。ボールは、子供と大人のそれぞれの手のサイズに合わせて、異なるサイズで製造できる。
【００２８】
図１を参照すると、本発明の好ましい一実施形態では、回転する跳ね返るボール１０が（ａ）の斜視図および（ｂ）の側面図に示されている。同じ番号は同じ部品を示す。ボールは、表面から表面まで直径方向に貫通するボア１４を除いて、中実で熱可塑性ゴムから作られた本体１２を備える。各々の端部では、ボアは、指や同様の付属物、ならびに他のほとんどの異物の挿入に対して、エンドキャップ１６によって閉鎖されている。図１（ｂ）に示すように、エンドキャップは本体からわずかに突き出ているが、本体の球を画定する円の円周の推定上の延長によって画定される仮想体積内にほぼ完全に残っている。この実施形態では、エンドキャップがさらに突出しないことが好ましいが、別の一実施形態では、キャップのうちの少なくとも１つは、使用者の握りを支援するため、または投げられたときにボールが表面を軸方向に打った場合に予測できない跳ね返りを引き起こすために、さらに突出する形状およびサイズであり得ることが想定される。キャップの円周エッジは丸みを帯びているため、不都合にボールをキャッチしたボールプレーヤーまたはたまたまぶつかった人の裂傷を回避するのに役立つ。
【００２９】
この実施形態では、本体は５５ｍｍの直径を有するが、許容可能な製造公差内で変動し得る。本体のサイズは本発明に必須ではなく、より大きく、直径が５５ｍｍ〜６５ｍｍの範囲であるか、またはそれより小さくてもよく、小さい子供に対する窒息の危険の考慮などの制限を受けることが理解されるであろう。
【００３０】
エンドキャップ１６は、同じ部品には同じ番号が付けられている図３〜図６をさらに参照して以下に説明するように、本体に直接接続されておらず、ころ軸受アセンブリ１８によって、本体から独立して自由に回転することができる。
【００３１】
エンドキャップは、ボア１４内に取り付けられた回転可能なシャフト２４のそれぞれの対向する端部２２上にぴったりと嵌合するように形作られている、長方形の回転防止軸方向断面の内部ソケット２０を有する。シャフト２４は、ころ軸受アセンブリ１８の中心ボア２６内に押しばめされた一体型部品である。シャフトは、八角形にファセット加工された中央部分２８を有し、中央部分２８は、相補的に構成された軸方向プロファイルを有する軸受アセンブリの内部回転リング内に回転しないように収容されている。シャフトとエンドキャップは、周囲の本体に対して軸受手段を介して回転可能な単一アセンブリを画定する。
【００３２】
エンドキャップ１６の各々は、シャフト２４に取り付けられたときに露出した端面３０を有する。端面は、ソケット２０が形成される端部に対して遠位に配置され、わずかな窪み３２を形成するように輪郭が付けられ、窪み３２内に使用者は指先を置くことができる。窪みは、ボールの本体がシャフトに対して回転するときに、使用者の握りに対する安定した係合を支援する。
【００３３】
エンドキャップ１６は、フレア軸断面を有し、窪み３２を有する露出した端部でより厚く、ソケット２０の端部でより薄くなるように先細りになっている。この形状は、そのコアで本体の中空を最小化することにより回転バランスの維持を助けるのに有利であることが分かる。
【００３４】
エンドキャップは、熱可塑性エラストマー（ＴＰＥ）でできている。しかしながら、キャップは、本体の硬度よりも高い硬度値を有する。この実施形態では、キャップは５０度の硬度のものである。キャップは、４０〜６０の範囲の硬度を有し得る。理論に拘束されることを望まないが、本発明のボールによる跳ね返り動作の下で達成可能な向上した回転性能は、キャップとボール本体との間の硬度の差の結果であると推測される。キャップは依然として変形可能であるが、本体よりもわずかに小さいため、ボールが跳ね返り、ボアが変形すると、本体よりも硬いキャップは、回転の完全性をより大きく維持し、事実上ボアの変形している壁から跳ね返り、そこから離れる。
【００３５】
シャフトは、プラスチック化合物であるので、本体およびキャップよりも堅く作られる。跳ね返りの衝撃の下で本体が変形すると、シャフトは本体とともに変形するが、比較的限定されたより小さな程度である。たわみの違いは、エンドキャップとシャフトアセンブリを備えたサブアセンブリの回転の完全性を維持するのに役立つように機能する。
【００３６】
ボールが受けることが意図されている使用の厳しさのために、シャフトは、ファセット加工された中央部分のいずれかの側に配置される、先細りのフランジ３４の形の厚くなった部分を有する。各々のエンドキャップ１６はソケット２０に相補的な形状の凹部３６を有しているため、エンドキャップがシャフトの端部２２に押しばめされると、凹部はフランジを受け入れ、ボールの回転および跳ね返り動作中の変形下での放出に対してフランジを保持する。
【００３７】
ボールの本体が製造される熱可塑性ゴム（ＴＰＲ）は、コポリマー、または重合したプラスチック材料とゴムの物理的混合物とすることができる。ゴムは、合成ゴム（例えば、ポリブタジエン）であってもよい。熱可塑性ゴム材料のゴム状の性質は、硬い表面に衝突したときにボールに性能上の利点を提供する様々な変形を提供することが見出されている。最適な結果を得るには、ＴＰＲ硬度がショアＡスケールで３４〜５０の範囲にある必要があることが見出されている。好ましくは、硬度は同じスケールで３８〜４７の範囲である。この発見は、硬い表面で印象的な跳ね返り特性を示すが、ショアＡデュロメータースケールで９６、またはショアＤスケールで約６０を超える硬度を有するゴルフボールとの関連で驚くべきものである。
【００３８】
ＴＰＲは、跳ね返り性能に適切であると判明した程度までその硬度を変更するための追加のプラスチック成分を含み得る。一例では、ショアデュロメータータイプＡスケールで約４５の硬度を示す本体は、４０ＴＰＲを次のコポリマーブロックと組み合わせることによって製造された。
ＳＥＢＳ（スチレンエチレンブチレンスチレン）＋ＳＢＳ（スチレンブタジエンスチレン）＋ＰＰ（ポリプロピレン）＋発泡ゴム
【００３９】
さらなる一例では、ショアデュロメータータイプＡスケールで約４０の硬度を示した本体は、３０〜３５ＴＰＲを前の例のコポリマーブロックと組み合わせることによって製造された。これは、４０ＴＰＲの化合物を単独で使用した場合とほぼ同じ硬度であり、製造の柔軟性を示している。ボール構造は、軸受に接続されたときに、ショアＡ  ５０硬度のエンドキャップを中央シャフトに適用することによって仕上げられる。
【００４０】
ボールのさらなる一実施形態が図７に示されている。ボール１００は、対向する軸受２００のさもなければ露出する面２１５上にシールを形成する大きさのエンドキャップ２１０を有する。各々のキャップ２１０の外周は、保護ライニング１３０に当接し、軸受が内部に取り付けられている中央ボアキャビティ１２０内にキャップ２１０が押し込まれるのを防止する。図１〜６の実施形態に示される種類の単一の軸受を通過するシャフトによってキャップが接続される代わりに、各々のキャップ２１０は、キャビティ１２０を貫通して延在し、反対側のキャップ２１０から嵌合タイン２３０に直接接続可能な単一の中央タイン２３０を含む。タイン２３０は、例えば、クリップフィット、雄−雌またはロックおよびキー接続手段などの機械的接続手段を使用して互いに接続することができる。タイン２３０が接続されると、キャップ２１０は、反対側のキャップ２１０によって形成される中心軸を介して所定の位置に保持され、キャップと軸受の単一のサブアセンブリと、ボール１００の本体を周囲に回転させることができる中心軸を画定するシャフトとを形成する。
【００４１】
図７の実施形態では、ボア１２０は、いくつかの異なる目的のために利用され得る。例えば、ＬＥＤライトを備える視覚ディスプレイは、ボアキャビティ内に取り付けられるか、またはボアキャビティ内に固定されずに配置され得る。ノイズジェネレーター（ベル、ガラガラ、笛、電子音）または装飾デザインなど、ボールの使用時に効果を生み出す他の材料もここに組み込むことができる。ＬＥＤなどの視覚的付加物がボールの内部で使用されるとき、ボールは、使用者がボールの内部で起こっている効果を見ることができるように透明な材料から形成されてもよい。
【００４２】
オプションで、図７の実施形態は、ボール１００内におもり３００を含んでもよい。おもりは、角運動量に寄与し、それにより、ボールのスピン速度を大幅に増加させることができる。おもり３００は、ボール１００の本体内に形成された凹部３１０内に取り外し可能に、または固定して取り付けることができる。おもり３００は、対向する凹部３１０内のボール１００の対向する側に取り付けられ得る。対向するおもりは、ボール内の重量の均一な分布を提供し、滑らかな回転を提供する。
【００４３】
ボール１００と共に使用されるおもりは、様々な異なる質量のものとすることができるので、ボールは、固定されたおもりの異なる範囲で供給され得るか、またはおもり自体が取り外し可能とすることができ、使用者が所望の重さを選択することを可能にし、対応するおもりを挿入して、異なる重量依存のパフォーマンス結果を実現する。
【００４４】
さらなる実施形態では、ボール１００は、おもりが挿入され得る複数の凹部を有することができ、使用者は、異なる位置でボールの周りでおもりを動かして、飛行中のボールの挙動の変化を実験することができることが想定される。
【００４５】
おもりは、使用される所望の重さに応じて、コーティングされたまたはコーティングされていないステンレス鋼、鉄、または他の金属から形成されてもよい。他のより密度の低い非金属または複合材料も提供することができる。取り外し可能なおもりの場合、おもりまたはおもりのコーティングは、おもりをボール１００内の受容凹部から挿入および除去できるようにする除去手段を含むことができる。
【００４６】
回転モードでボールを操作するには、親指と他の１本の指（便宜上、人差し指または中指）を使用して、つかむ方式の握り方でエンドキャップによってボールを握る。しかしながら、握り方は、ボールに対する使用者の手のサイズと、エンドキャップの露出面の間隔に依存している。次に、使用者は、もう一方の手の人差し指または親指を使用して、握った手に対してエンドキャップを静止させたまま、ボール本体に回転を与えることができる。次に、使用者は、握った手から回転するボールを落とす、または投げて、跳ね返り方向への回転の効果を楽しむことができる。使用者は、異なる技術を練習することで、予測可能な方法で跳ね返りを管理および制御することを学ぶことができる。
【００４７】
例えば、使用者は、得られる方向の変化を楽しむために適切な表面にボールを落とすかまたは投げる前に、各々の手から１本の指を使用してエンドキャップでボールを握り、親指を自由にしてボールを回してもよい。この種類の握り方は、手のサイズが比較的小さいため、小さな子供たちにとって実用的な唯一の握り方かもしれない。
【００４８】
ボールが比較的大きいサイズ、例えばフットボールのサイズである場合、使用者が非常に大きな手を持たない限り、前の段落の技法は、老いも若きも使用者が使用することができる。
【００４９】
図８は、投げる動作または跳ね返る動作で使用される場合に説明される実施形態のいずれかのボール玩具の可能な動きを示している。人間の使用者４０４は、対向する軸受または外側保護キャップを保持し、矢印４００の方向に、図２〜４のシャフト２８と整列する軸Ａの周りにボール１０を回転させる。この動作自体が使用者に娯楽を提供し、指を占めてストレスを緩和するために使用され得る。ボールゲームで使用される場合、図８に示すように、ボールは、投げられるか、または跳ね返される前に回転されてもよく、軸受１８は、回転の方向に影響する回転運動をボールに提供する。
【００５０】
概して球形のボールに関連して本発明を説明してきたが、本発明はそのように限定されると解釈されるべきではない。ボールは、他の実施形態では、形状が楕円形または卵形である傾向がある、概してより平坦なプロポーションであってもよい。それは、例えばパネルまたはファセットを備える、連続的または不連続的な外面を有してもよく、または窪みがあってもよい。表面は、ゴムまたはプラスチック物質のみからなる必要はなく、繊維材料または布の外側コーティングを有していてもよい。
【００５１】
本発明のボールが跳ね返され得る表面は、コート、道路、または壁などの固定された構造である必要はなく、バットまたは同様のボール打撃用具であってもよい。したがって、使用者は、第１の使用者の手からボールを回転させて投げ出し、第２の使用者がバットで打つゲームに参加できる。ボールに十分な回転を与えることにより、２人以上の使用者が互いに回転するボールを打つゲームを行うことができる。
【００５２】
これらの実施形態は、回転して跳ね返るボールの形態の玩具を提供する本発明の装置の特定の例を示すに過ぎない。この開示から得られた洞察により、当業者は、特許請求された発明を実施するための手段によって、さらなる実施形態を見分けることができる。
【図１（ａ）】
2020536684.tif 000003
【図１（ｂ）】
2020536684.tif 000004
【図２】
2020536684.tif 000005
【図３】
2020536684.tif 000006
【図４】
2020536684.tif 000007
【図５】
2020536684.tif 000008
【図６】
2020536684.tif 000009
【図７】
2020536684.tif 000010
【図８】
2020536684.tif 000011
【手続補正書】
【提出日】平成31年4月29日(2019.4.29)
【手続補正１】
【補正対象書類名】特許請求の範囲
【補正対象項目名】全文
【補正方法】変更
【補正の内容】
【特許請求の範囲】
【請求項１】
ａ．ボアにより貫通された中実で弾力性のある柔軟な本体と、
ｂ．前記ボア内で前記本体に取り付けられた軸受手段と、
ｃ．前記軸受手段取り付けられたシャフトであって、前記シャフトに対する前記本体の回転軸を形成する前記シャフトと、
ｄ．前記ボアの各々の端部のボア閉鎖部であって、前記シャフトの各自由端に作動的に接続された前記ボア閉鎖部と
を備え、これにより前記閉鎖部が使用者によって片手でつまんで保持されたときに、前記本体が前記閉鎖部および前記シャフトに対して前記回転軸上で回転することができるようになっている、ボール玩具。
【請求項２】
前記軸受手段は転動要素軸受を備え、該転動要素軸受は、前記本体にしっかりと挿入された外側リングと、前記外側リングに対して回転し前記シャフトに固定された内側リングとを有し、前記シャフトが前記内部リングと共回転可能する事を可能にしている、請求項１に記載のボール。
【請求項３】
前記閉鎖手段は、前記シャフトの自由端に固く接続されて、一体のアセンブリを形成している、請求項２記載のボール。
【請求項４】
前記シャフトは、自由なままであり、前記ボールの跳ね返り動作による変形中に前記本体とは無関係に回転できるように適合されている、請求項２または請求項３に記載のボール。
【請求項５】
前記シャフトは、前記本体が跳ね返り衝撃を受けるときに、前記ボアに同調して比較的小さい範囲まで弾性的に変形可能である、請求項４に記載のボール。
【請求項６】
前記シャフトは、前記本体の剛性よりも高い剛性を有する、請求項５記載のボール。
【請求項７】
前記シャフトは、熱可塑性化合物からなる、請求項６に記載のボール。
【請求項８】
前記化合物は、ショアＤデュロメータースケールで７５〜８３の範囲の硬度を有する、請求項７に記載のボール。
【請求項９】
前記シャフトは、１００００ｐｓｉ〜１２０００ｐｓｉの範囲の引張強度を有する材料から製造される、請求項７または８に記載のボール。
【請求項１０】
前記化合物は、ポリオキシメチレン（「ＰＯＭ」）から配合される、請求項９に記載のボール。
【請求項１１】
前記本体は、熱可塑性ゴムを備えることにより、向上した跳ね返り能力を示すように適合されている、請求項１〜１０のいずれか一項に記載のボール。
【請求項１２】
前記ゴムは、ショアＡ硬度スケールが３４〜５０の範囲の硬度値を有する、請求項１１に記載のボール。
【請求項１３】
前記硬度値は、ショアＡ硬度スケールが３８〜４７の範囲にある、請求項１２に記載のボール。
【請求項１４】
前記ボアの各々の端部の前記ボア閉鎖部は、好ましくは熱可塑性ゴム（ＴＰＲ）で作られたキャップを備える、請求項１〜１３のいずれか一項に記載のボール。
【請求項１５】
前記キャップは、前記本体の硬度値を超える硬度値を有する、請求項１４記載のボール。
【請求項１６】
前記キャップは、ショアＡ硬度スケールが４０〜６０の範囲の硬度値を有する、請求項１４に記載のボール。
【請求項１７】
複数の不連続部を備える外面を有する、請求項１〜１６のいずれか一項に記載のボール。
【請求項１８】
前記不連続部はファセットを画定する、請求項１７に記載のボール。
【請求項１９】
略球形のプロポーションである、請求項１〜１８のいずれか一項に記載のボール。
【請求項２０】
前記軸受手段は、前記シャフトに接続され、前記シャフトに沿って離間して配置された第１および第２のころ軸受を備える、請求項１〜１９のいずれか一項に記載のボール。
【請求項２１】
前記ボアは、その長さの少なくとも主要部分に沿ってライニングを有する、請求項１〜２０のいずれか一項に記載のボール。
【請求項２２】
前記ライニングは、前記本体の硬度から前記キャップの硬度までの範囲のショア硬度を有する、請求項２１記載のボール。
【国際調査報告】
2020536684.tif 000012
2020536684.tif 000013
2020536684.tif 000014